(57)【要約】【課題】天井に近い高所にゴミ受けを設けたゴミ受け具において、効率よく落下物を受けられるようにしたゴミ受け具を提供することを目的とする。【解決手段】シャフト２の下端側に設けられるクランプ３と、前記シャフト２の軸方向に沿ってランナー４をスライドさせ、当該ランナー４に取り付けられた放射状のストレッチャー５１を介して開閉させる放射状のリブ５２と、当該リブ５２の上面を覆うカバー体６と、当該カバー体６の外周部分に沿って上下方向に起立する起立壁５４とを有するようにする。そして、ランナー４を上方にスライドさせることで、カバー体６を広げて受け皿状のゴミ受けを形成し、カバー体６を切断して形成された空間部に身体を入れて作業を行えるようにする。【選択図】図５
2018066224.tif 000002
【特許請求の範囲】
【請求項１】
シャフトの下端側に設けられるクランプと、
前記シャフトに沿ってランナーを上下方向にスライドさせ、当該ランナーに取り付けられた放射状のストレッチャーを介して開閉させる放射状のリブと、
当該リブを覆うように取り付けられるカバー体と、
当該カバー体の外周部分に沿って上下方向に起立する起立壁と、
を有するようにしたゴミ受け具。
【請求項２】
前記放射状に設けられたリブとリブの間に、身体を入れることができるようにした空間部を設けるようにした請求項１に記載のゴミ受け具。
【請求項３】
隣接するリブとリブの間のカバー体を開閉可能にして前記空間部を形成した請求項１に記載のゴミ受け具。
【請求項４】
前記カバー体に、ゴミを落下させる開口部を形成し、当該開口部からゴミを落下させて収容できるようにした袋部を設けるようにした請求項１に記載のゴミ受け具。
【発明の詳細な説明】
【技術分野】
【０００１】
本発明は、天井に取り付けられた器具などを修理する際や、天井面へのドリルなどの穴あけ作業などの際に、天井から落下するゴミなどを受けることができるようにしたゴミ受け具に関するものである。
【背景技術】
【０００２】
一般に、天井に照明器具を取り付けたり、その照明器具を修理したりするような場合、床面にシートを敷いて養生するとともに、照明器具の下方に脚立を立てて作業を行うことが多い。
【０００３】
ところで、このような養生シートを敷く場合、天井から床面までの距離が長いと広範囲にゴミなどが飛散するため、広範囲に亘って養生シートを敷かなければならない。
【０００４】
そこで、可能な限り天井に近い位置にそのゴミ受けを設けるようにすることで、天井から広範囲に飛散しうるゴミを受けられるようにしたゴミ受け具などが提案されている（特許文献１など）。
【０００５】
このようなゴミ受け具は、図７に示すように、脚立に登って作業する作業者の胴回りに取り付けられるものであって、逆傘状の受部７を胴回りに取り付けることで、落下物を受け止められるようにしたものである。このようなゴミ受け具を用いれば、天井に近い位置でゴミを受けることができるため、床面の広範囲に養生シートを敷く必要がなくなるというメリットがある。
【先行技術文献】
【特許文献】
【０００６】
【特許文献１】特開２０１０−２２２８６０号公報
【発明の概要】
【発明が解決しようとする課題】
【０００７】
しかしながら、このようなゴミ受け具を用いた場合であっても、次のような問題がある。
【０００８】
すなわち、図７に示すような従来のゴミ受け具の受部７は、作業者の胴回りに取り付けられるものであるため、作業者が照明器具の場所から離れた場合、天井からの落下物を受けることができなくなる。
【０００９】
また、胴回りにゴミ受け具を取り付けたとしても、作業方向は身体の正面側となるため、背面側の受部で落下物を受けることができない。このため、実質的に落下物を受ける面積は、身体の前方部分だけとなってしまい、効率よく落下物を受けることができなくなってしまう。
【００１０】
さらには、このような胴回りに取り付けられるゴミ受け具は、作業者の体型に合わせて取り付ける必要があるばかりでなく、また、胴に取り付けた状態で前屈みになると、落下物がこぼれ落ちてしまうといった問題もあった。
【００１１】
そこで、本発明は上記課題を解決するために、天井に近い高所にゴミ受けを設けた後ゴミ見受け具において、効率よく落下物を受けられるようにしたゴミ受け具を提供することを目的とする。
【課題を解決するための手段】
【００１２】
すなわち、本発明は上記課題を解決するために、シャフトの下端側に設けられるクランプと、前記シャフトの軸方向に沿ってランナーをスライドさせることでストレッチャーを介して開閉させる放射状のリブと、当該リブの上面を覆うカバー体と、当該カバー体の外周部分に沿って当該カバー体から起立する起立壁とを設けるようにしたものである。
【００１３】
このように構成すれば、ゴミ受け具のクランプを脚立に挟み込ませることで、作業ヶ所に近い真下部分でゴミを受けることができるようになり、また、作業者がその場所から離れた場合であっても、落下するゴミを受けることができるようになる。
【００１４】
また、このような発明において、前記リブとリブの間に、身体を入れることができる空間部を形成する。
【００１５】
このように構成すれば、ゴミ受け具の中央付近に身体を入れて作業することができるため、作業ヶ所の近い部分で作業することができるようになる。
【００１６】
さらに、隣接するリブの間のカバー体を開閉可能にして空間部を形成するようにする。
【００１７】
このようにすれば、作業場所を離れるような場合に、その空間部をカバー体で塞ぐことで、ゴミの飛散を防止することができるようになる。
【００１８】
また、前記カバー体に、ゴミを落下させる開口部を形成し、当該開口部からゴミを落下させるようにした袋部を設けるようにする。
【００１９】
このように構成すれば、カバー体に落下したゴミを袋部に落とし込むことができるため、カバー体を閉じた際に、ゴミが飛散してしまうようなことがなくなる。
【発明の効果】
【００２０】
本発明によれば、シャフトの下端側に設けられるクランプと、前記シャフトの軸方向に沿ってランナーをスライドさせることでストレッチャーを介して開閉させる放射状のリブと、当該リブの上面を覆うカバー体と、当該カバー体の外周部分に沿って当該カバー体から起立する起立壁とを設けるようにしたので、ゴミ受け具のクランプを脚立に挟み込ませることで、作業ヶ所に近い真下部分でゴミを受けることができるようになり、また、作業者がその場所から離れた場合であっても、落下するゴミを受けることができるようになる。
【図面の簡単な説明】
【００２１】
【図１】本発明の一実施の形態におけるゴミ受け具の断面図
【図２】同形態におけるゴミ受け具の平面図
【図３】同形態におけるゴミ受け具に伸縮部材を取り付けた図
【図４】同形態における切断部を接離させた状態の概観斜視図
【図５】同形態における使用状態を示す図
【図６】他の実施の形態におけるゴミ受け具を示す図
【図７】従来例のゴミ受け具を示す図
【発明を実施するための最良の形態】
【００２２】
以下、本発明の一実施の形態について図面を参照しながら説明する。
【００２３】
この実施の形態におけるゴミ受け具１は、天井に照明器具を取り付ける際や、その照明器具を修理・交換する際に、天井から落下するゴミを受けることができるようにしたものであって、図１や図５に示されるように、脚立に取り付けられるクランプ３と、このクランプ３に取り付けられたシャフト２に沿って上下方向にスライドさせるランナー４と、このランナー４のスライドに伴って開閉するストレッチャー５１やリブ５２と、そのリブ５２に取り付けられたカバー体６とを設けて構成されるものである。そして、特徴的に、カバー体６の外周部分に起立する起立壁５４を設けるようにすることで、より天井に近い部分の作業ヶ所の真下でゴミを受けることができるようにしたものである。以下、本実施の形態におけるゴミ受け具１について詳細に説明する。
【００２４】
まず、このゴミ受け具１は、傘を改良して設けられるものであって、シャフト２の下端部分に設けられたハンドルを取り外してクランプ３を取り付けられるように構成されている。このクランプ３は、図５に示すように、脚立の最上段ステップなどに挟み込めるように構成されており、これによってシャフト２を鉛直方向に維持した状態で脚立などに固定できるようになっている。
【００２５】
また、シャフト２は、傘の縦長方向に沿って設けられるスチール製の部材で構成されるものであって、また、必要に応じて、図３に示すように、縦長方向に伸縮する伸縮部材２４を設けて長さを変えられるように構成される。このような伸縮部材２４を設ける場合、任意の長さに伸縮部材２４を伸ばした状態でストッパー２５を用いて固定できるようにする。
【００２６】
このシャフト２には、その軸方向に沿ってスライドするランナー４が設けられる。このランナー４は、シャフト２から出没可能な下はじき２１と上はじき２２の間で移動できるようになっており、上はじき２２よりも上方までランナー４をスライドさせた状態で上はじき２２を元の状態に突出させることで、ランナー４を係止させるようになっている。
【００２７】
このランナー４には、ストレッチャー５１が放射状に取り付けられており、ランナー４を上方にスライドさせることにより、ストレッチャー５１を上方に移動させてリブ５２を放射状に広げられるようになっている。
【００２８】
このリブ５２は、シャフト２の先端側に設けられたノッチ２３を中心として放射状に広げられるようにしたものであって、ストレッチャー５１を内側から押し上げることで外側に広げられるようになっている。また、このリブ５２の外側端部であるチップ５３側を屈曲させて起立させた起立壁５４を形成できるようにしている。この起立壁５４は、カバー体６の上に落下してきたゴミを受けられるようにしたものであって、リブ５２に対して上方に屈曲あるいは湾曲した形状に形成される。
【００２９】
このリブ５２の上面側に取り付けられるカバー体６は、シート状に構成されるものであり、これをリブ５２からチップ５３の先端側に沿って縫いつけられるようになっている。そして、このようにチップ５３の先端側にまでカバー体６を取り付けることで、カバー体６の外周部分に起立して起立壁５４を形成できるようにしている。
【００３０】
このような構成において、カバー体６には、作業者の身体を入れるための空間部を形成する切断部６１が形成される。この切断部６１は、リブ５２の僅か側方に沿ってカバー体６を切断して設けられるものであって、これによって、図２に示すように、三角形状にカバー体６の一部を垂れ下げ、その間に形成された空間部に身体を入れて作業できるようにしたものである（図５の状態）。また、このカバー体６の切断部６１には、空間部を塞ぐための接合部６２が設けられており、作業者がその場を離れる際には、その空間部を塞ぐようにすることでゴミなどを受けられるようにしている。このような接合部６２としては、面ファスナーなどによって構成され、これによってカバー体６を受け皿状にしている。
【００３１】
また、このカバー体６には、ゴミを収集するための袋部６４が形成される。この袋部６４は、図４などに示すように、リブ５２とリブ５２の間に開口部６３を形成するとともに、その開口部６３にポケット状の袋部６４（図１や図３参照）を取り付けてゴミを収容できるようにしたものである。この袋部６４については、カバー体６に縫い付けるようにしてもよく、あるいは、カバー体６に対して着脱可能に取り付けられるようにしてもよい。このようにカバー体６から取り外せるようにすると、集めたゴミをそのまま廃棄することができるというメリットがある。
【００３２】
また、このカバー体６から突出するシャフト２の先端部分には、図１や図２などに示すように、工具を載置しておくための受け皿状の工具置台６５が設けられている。この工具置台６５は、シャフト２から着脱可能に取り付けられており、ゴミ受け具１を折り畳んで運搬する際には、取り外して持ち運べるように設けられている。
【００３３】
次に、このように構成されたゴミ受け具１の使用方法について、図５などを用いて説明する。
【００３４】
まず、天井の照明器具などの取り付け作業などを行う場合、その作業位置の真下に脚立を立てる。
【００３５】
そして、その状態でゴミ受け具１のカバー体６を広げる（図１の状態）。このカバー体６を広げる場合は、シャフト２を持ってランナー４を先端側にスライドさせ、上側のランナー４を通過させてそのランナー４によってランナー４を係止させる。すると、そのランナー４に移動に伴ってストレッチャー５１が持ち上げられ、リブ５２が放射状に開くようになる。これにより、そのリブ５２に縫い付けられたカバー体６を広げることができるようになる。このとき、リブ５２の先端側のチップ５３側を上側に屈曲させるようにしているため、カバー体６を広げた状態では、起立壁５４によってカバー体６が受け皿状になる。
【００３６】
このようにカバー体６を広げた状態で、シャフト２の下端部分に設けられたクランプ３を脚立の最上段のステップなどに挟み込んで取り付ける。このとき、シャフト２に伸縮部材２４を設けている場合は、その伸縮部材２４を最適な長さに伸ばした状態で、ストッパー２５を用いて伸縮部材２４を固定する。すると、照明器具の真下部分の近い位置に受け皿状のカバー体６が形成されることになる。また、これとともに、シャフト２の先端部分に工具置台６５を取り付けて、工具などを載置できるようにする。
【００３７】
このように脚立にゴミ受け具１を取り付けた状態で、作業者が脚立に登り、照明器具に対する作業を行う（図５の状態）。このとき、ゴミ受け具１が放射状に広がっているため、照明器具に手が届き難い場合もあるが、このような場合は、図２に示すように、カバー体６の切断部６１に設けられた接合部６２を取り外し、三角形状の空間部を形成する。そして、その空間部に身体を入れて作業する。すると、ゴミ受け具１の中心に近い位置に身体を入れることができるため、作業効率を向上させることができるようになる。
【００３８】
次に、作業が終了した場合、作業者は、カバー体６の上面に落下したゴミを手で集め、カバー体６の開口部６３に設けられた袋部６４に落とし込む。そして、このようにゴミを袋部６４に集めた状態で脚立を降り、クランプ３を取り外してランナー４を下げてカバー体６を折り畳む。このとき、カバー体６の上に落下したゴミが袋部６４に集められ、カバー体６を折り畳んだ際にゴミを飛散させるようなことがなくなる。
【００３９】
このように上記実施の形態によれば、シャフト２の下端側に設けられるクランプ３と、前記シャフト２の軸方向に沿ってランナー４をスライドさせることでストレッチャー５１を介して開閉させる放射状のリブ５２と、当該リブ５２の上面を覆うカバー体６と、当該カバー体６の外周部分に沿って当該カバー体６から起立する起立壁５４とを設けるようにしたので、ゴミ受け具１のクランプ３を脚立に挟み込ませることで、作業ヶ所に近い真下部分でゴミを受けることができるようになる。また、作業者がその場所から離れるような場合があったとしても、落下するゴミを受けることができるようになる。
【００４０】
また、図２に示すように、放射状に設けられたリブ５２とリブ５２の間に、身体を入れることができるような空間部を形成するようにしたので、ゴミ受け具１の中央付近に身体を入れて効率良く作業することができるようになる。
【００４１】
さらに、このような切断部６１で形成されたカバー体６の空間部を、接合部６２を用いて塞ぐことができるようにしたので、その場所を作業者が離れる場合に、その空間部をカバー体６で覆ってゴミの飛散を防止することができるようになる。
【００４２】
また、カバー体６に落下したゴミを開口部６３に集めて袋部６４に収集することができるようにしたので、カバー体６を閉じた際に、ゴミを飛散させるようなことがなくなる。
【００４３】
なお、本発明は上記実施の形態に限定されることなく、種々の態様で実施することができる。
【００４４】
例えば、上記実施の形態では、シャフト２の下端部分にクランプ３を設けるようにしたが、シャフト２の任意の位置にクランプ３を設けるようにしてもよい。また、このようなクランプ３を設ける場合、脚立から少し離れた位置にゴミ受け具１を設けた方が良い場合もあるため、シャフト２と直交する延出桿などを取り付けてその延出桿にクランプ３を取り付けるようにしてもよい。
【００４５】
また、上記実施の形態では、リブ５２の先端部分を屈曲させて起立壁５４を形成するようにしたが、リブ５２の先端部分のチップ５３に起立壁５４を形成する起立骨を差し込み、また、この起立骨とリブ５２を覆うようにカバー体６を設けるようにすることもできる。このとき、カバー体６としては一体的なものであってもよく、あるいは、起立骨を覆うカバー体とリブ５２のカバー体６とをそれぞれオーバーラップさせるようにしてもよい。
【００４６】
さらに、上記実施の形態では、カバー体６に開口部６３を形成して袋部６４を設けるようにしたが、この袋部６４については、外周部分に設けるようにしてもよく、あるいは、このような袋部６４を設けないようにしてもよい。
【００４７】
また、上記実施の形態では、リブ５２の間に身体を入れ込んで作業を行えるようにしているが、カバー体６の下から作業を行えるようにすることもできる。このような場合、図６に示すように、カバー体６にドリル６６を通すことができるような放射状のゴム穴を設けておき、そのゴム穴６７の下方からドリル６６を通して天井に穴などを開けるようにすることもできる。このようにすれば、カバー体６の下方から作業を行うため、確実にゴミをカバー体６で受けることができるようになる。なお、このように構成する場合、カバー体６は透明な部材で構成して天井部分を視認できるようにしておく。
【符号の説明】
【００４８】
１・・・ゴミ受け具
２・・・シャフト
２１・・・下はじき
２２・・・上はじき
２３・・・ノッチ
２４・・・伸縮部材
２５・・・ストッパー
３・・・クランプ
４・・・ランナー
５１・・・ストレッチャー
５２・・・リブ
５３・・・チップ
５４・・・起立壁
６・・・カバー体
６１・・・切断部
６２・・・接合部
６３・・・開口部
６４・・・袋部
６５・・・ドリル
６６・・・ゴム穴
【図１】
2018066224.tif 000003
【図２】
2018066224.tif 000004
【図３】
2018066224.tif 000005
【図４】
2018066224.tif 000006
【図５】
2018066224.tif 000007
【図６】
2018066224.tif 000008
【図７】
2018066224.tif 000009
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
シャフトの下端側に設けられるクランプと、
前記シャフトに沿ってランナーを上下方向にスライドさせ、当該ランナーに取り付けられた放射状のストレッチャーを介して開閉させる放射状のリブと、
当該リブを覆うように取り付けられるカバー体と、
当該カバー体の外周部分に沿って上下方向に起立する起立壁と、
を有するようにしたゴミ受け具。
【請求項２】
前記放射状に設けられたリブとリブの間に、身体を入れることができるようにした空間部を設けるようにした請求項１に記載のゴミ受け具。
【請求項３】
隣接するリブとリブの間のカバー体を開閉可能にして前記空間部を形成した請求項２に記載のゴミ受け具。
【請求項４】
前記カバー体に、ゴミを落下させる開口部を形成し、当該開口部からゴミを落下させて収容できるようにした袋部を設けるようにした請求項１に記載のゴミ受け具。